(57)【要約】【課題】メモ等の画像を記録し、かつ所望の画像を簡易に表示させることができる画像記録装置等を提供する。【解決手段】画像記録装置１は、筆記部１２、表示部１５、撮影部１６等を有する。画像記録装置１は、撮影部１６により筆記部１２を撮影した撮影画像を表紙画像として記録するとともに、撮影部１６により撮影した別の撮影画像を表紙画像に対応するページ画像として記録する。表示部１５では、表紙画像を表示して表紙画像の選択を受付け、選択された表紙画像に対応するページ画像を表示する。【選択図】図１
2017146780.tif 000002
【特許請求の範囲】
【請求項１】
撮影部により撮影された撮影画像を表紙画像として記録するとともに、前記撮影部により撮影された別の撮影画像を前記表紙画像に紐づくページ画像として記録する記録手段と、
前記表紙画像を表示部に表示して前記表紙画像の選択を受付け、選択された前記表紙画像に紐づくページ画像を前記表示部に表示する表示手段と、
を有することを特徴とする画像記録装置。
【請求項２】
筆記を行う筆記部を有し、
前記撮影部は前記筆記部を撮影することを特徴とする請求項１記載の画像記録装置。
【請求項３】
前記筆記部は、顔料を使用しない筆記具にて筆記を行う筆記面を有し、かつ筆記内容が消去可能であることを特徴とする請求項２記載の画像記録装置。
【請求項４】
前記画像記録装置の本体は折り畳み可能であり、
前記撮影部は、前記本体の前記撮影部が設けられた部分と前記筆記部が設けられた部分とが所定角度をなす時に前記筆記部を撮影することを特徴とする請求項２または請求項３に記載の画像記録装置。
【請求項５】
前記画像記録装置の前記筆記部が設けられた部分と前記表示部が設けられた部分は、互いの配置を入れ替えて組み合わせることが可能であることを特徴とする請求項２から請求項４のいずれかに記載の画像記録装置。
【請求項６】
前記筆記部と前記表示部は、前記画像記録装置の本体から取外し、互いの配置を入れ替えて前記本体に取付けることが可能であることを特徴とする請求項２から請求項５のいずれかに記載の画像記録装置。
【請求項７】
前記表示部は、表示を行う際の天地を設定可能であることを特徴とする請求項２から請求項６のいずれかに記載の画像記録装置。
【請求項８】
前記記録手段は、撮影画像を表紙画像として記録するかページ画像として記録するかの選択を受付けることを特徴とする請求項１から請求項７のいずれかに記載の画像記録装置。
【請求項９】
前記記録手段は、前記表紙画像を前記表示部に表示させ、前記別の撮影画像をどの前記表紙画像に紐づけるかの選択を受付けることを特徴とする請求項１から請求項８のいずれかに記載の画像記録装置。
【請求項１０】
前記記録手段は、撮影画像の所定部分をテキストデータ化することを特徴とする請求項１から請求項９のいずれかに記載の画像記録装置。
【請求項１１】
情報処理装置を、
撮影部により撮影された撮影画像を表紙画像として記録するとともに、前記撮影部により撮影された別の撮影画像を前記表紙画像に紐づくページ画像として記録する記録手段と、
前記表紙画像を表示部に表示して前記表紙画像の選択を受付け、選択された前記表紙画像に紐づくページ画像を前記表示部に表示する表示手段と、
して機能させるためのプログラム。
【請求項１２】
前記記録手段は、撮影画像を表紙画像として記録するかページ画像として記録するかの選択を受付けることを特徴とする請求項１１に記載のプログラム。
【請求項１３】
前記記録手段は、前記表紙画像を前記表示部に表示させ、前記別の撮影画像をどの前記表紙画像に紐づけるかの選択を受付けることを特徴とする請求項１１または請求項１２に記載のプログラム。
【請求項１４】
前記記録手段は、撮影画像の所定部分をテキストデータ化することを特徴とする請求項１１から請求項１３のいずれかに記載のプログラム。
【発明の詳細な説明】
【技術分野】
【０００１】
本発明は、メモ等の記録と表示を行う画像記録装置等に関する。
【背景技術】
【０００２】
紙を使用したノートやメモ帳は、筆記具を使用して必要な情報をメモとして記録するのに便利であり、今日でも多用されている。しかし、記録後の紙が嵩張ったり、紙に費用がかかったりする問題がある。また紙の原料として木を使用するため、森林破壊の原因になるなどの懸念もある。
【０００３】
一方、記録後の紙が嵩張るのを防ぐため、このようなメモをカメラやスキャナーを用いて画像として記録することも一般に行われている。また手書きのメモを電子化して記録するための電子ノートやデジタルノートなどと呼ばれる装置もあり、特許文献１にはその例が記載されている。
【先行技術文献】
【特許文献】
【０００４】
【特許文献１】特開2012−168631号公報
【発明の概要】
【発明が解決しようとする課題】
【０００５】
メモを画像等として電子化し記録する場合、後からメモを見ようとする際に所望のメモを検索して表示させるのが面倒なことが多く、結局メモを蓄積するだけになりがちである。また検索しやすくするためにファイル名などのデータを加工するのも手間がかかり習慣として継続しにくい。
【０００６】
本発明は上記の問題に鑑みてなされたものであり、メモ等を画像として記録し、かつ所望の画像を簡易に表示させることができる画像記録装置等を提供することを目的とする。
【課題を解決するための手段】
【０００７】
前述した課題を解決するための第１の発明は、撮影部により撮影した撮影画像を表紙画像として記録するとともに、前記撮影部により撮影した別の撮影画像を前記表紙画像に紐づくページ画像として記録する記録手段と、前記表紙画像を表示部に表示して前記表紙画像の選択を受付け、選択された前記表紙画像に紐づくページ画像を前記表示部に表示する表示手段と、を有することを特徴とする画像記録装置である。
【０００８】
本発明の画像記録装置では、筆記したメモ等を撮影した撮影画像を、表紙画像、あるいは表紙画像に紐づくページ画像として記録する。表示の際にはまず表紙画像を表示し、選択された表紙画像に対応するページ画像を次に表示させる。これにより、撮影画像をあたかも本のように記録、表示することができ、所望のページ画像を、対応する表紙画像を頼りに迅速に検索して表示させることができ、ファイル名などのデータ加工の手間もない。また筆記したメモ等を撮影部によって撮影し記録することにより装置を安価に構成可能である。
【０００９】
前記画像記録装置は筆記を行う筆記部を有し、前記撮影部は前記筆記部を撮影することが望ましい。
本発明の画像記録装置は、上記のように筆記部を併設することで、メモ等の筆記と記録、表示を行う一体の装置として構成することができる。
【００１０】
前記筆記部は、顔料を使用しない筆記具にて筆記を行う筆記面を有し、かつ筆記内容が消去可能であることが望ましい。
筆記部は、一般的な紙等とは異なり、顔料を使用しないスタイラスペンなどの筆記具にて筆記面に筆記を行い、筆記内容を消去可能なものとする。これにより、記録後の紙等が嵩張ったり、紙等に費用がかかったりすることなく、繰り返し筆記を行うことができる。
【００１１】
前記画像記録装置の本体は折り畳み可能であり、前記撮影部は、前記本体の前記撮影部が設けられた部分と前記筆記部が設けられた部分とが所定角度をなす時に前記筆記部を撮影することが望ましい。
画像記録装置の本体を折り畳み、撮影部を設けた部分と筆記部を設けた部分が所定角度となった時点で撮影部による筆記部の撮影を行うことで、筆記部を好適に撮影することができ、歪みの少ない撮影画像とできる。
【００１２】
前記画像記録装置の前記筆記部が設けられた部分と前記表示部が設けられた部分は、互いの配置を入れ替えて組み合わせることが可能であることが望ましい。また、前記筆記部と前記表示部は、前記画像記録装置の本体から取外し、互いの配置を入れ替えて前記本体に取付けることが可能であることも望ましい。
これにより、ユーザの利き手に合わせて筆記部と表示部の位置を入れ替えることができ、利き手が左右どちらであっても筆記部への筆記を容易に行うことができる。
【００１３】
さらに、前記表示部は、表示を行う際の天地を設定可能であることも望ましい。
本発明の画像記録装置を平面において回転させ、表示部で表示を行う際の天地を設定することでも、画像記録装置を上記と同様利き手に関わらず好適に使用できる。
【００１４】
前記記録手段は、撮影画像を表紙画像として記録するかページ画像として記録するかの選択を受付けることが望ましい。また、前記表紙画像を前記表示部に表示させ、前記別の撮影画像をどの前記表紙画像に紐づけるかの選択を受付けることも望ましい。
これにより、撮影画像を表紙画像、あるいは表紙画像に紐づくページ画像として好適に記録することができる。
【００１５】
前記記録手段は、撮影画像の所定部分をテキストデータ化することが望ましい。
これにより、取得したデータを、ページ画像の紐づけや、所望の画像を表示する際の検索に利用できるようになる。
【００１６】
第２の発明は、情報処理装置を、撮影部により撮影された撮影画像を表紙画像として記録するとともに、前記撮影部により撮影された別の撮影画像を前記表紙画像に紐づくページ画像として記録する記録手段と、前記表紙画像を表示部に表示して前記表紙画像の選択を受付け、選択された前記表紙画像に紐づくページ画像を前記表示部に表示する表示手段と、して機能させるためのプログラムである。
【００１７】
前記記録手段は、撮影画像を表紙画像として記録するかページ画像として記録するかの選択を受付けることが望ましい。また前記表紙画像を前記表示部に表示させ、前記別の撮影画像をどの前記表紙画像に紐づけるかの選択を受付けることも望ましい。
また前記記録手段は、撮影画像の所定部分をテキストデータ化することも望ましい。
【発明の効果】
【００１８】
本発明により、メモ等を画像として記録し、かつ所望の画像を簡易に表示させることができる画像記録装置等を提供することができる。
【図面の簡単な説明】
【００１９】
【図１】画像記録装置１の外観を示す図
【図２】画像記録装置１の制御に係るハードウェア構成を示す図
【図３】撮影部１６による筆記部１２の撮影について示す図
【図４】画像記録装置１によるメモ等の記録について示すフローチャート
【図５】画像記録装置１によるメモ等の記録について説明する図
【図６】画像記録装置１によるメモ等の記録について説明する図
【図７】表紙画像３０とページ画像４０の例
【図８】画像記録装置１によるメモ等の表示について示すフローチャート
【図９】画像記録装置１によるメモ等の表示について説明する図
【図１０】画像記録装置１によるメモ等の表示について説明する図
【図１１】画像記録装置１’、１”を示す図
【図１２】所定領域１２１の筆記内容の例
【図１３】画像記録装置１ａを示す図
【図１４】画像記録装置１ｂを示す図
【図１５】画像記録装置１を回転させた場合でも利用可能とした例
【図１６】画像記録装置１ｃを示す図
【発明を実施するための形態】
【００２０】
以下、図面に基づいて本発明の好適な実施形態について詳細に説明する。
【００２１】
［第１の実施形態］
（１．画像記録装置１）
図１は本発明の第１の実施形態に係る画像記録装置１の外観を示す図であり、画像記録装置１の使用時の表側を見た図である。ここで、表とは画像記録装置１の使用時にユーザが主に見る側をいう。その逆側は裏というものとする。
【００２２】
図１に示すように、画像記録装置１は、筆記部１２、ペン１３、ＵＳＢポート１４、表示部１５、撮影部１６、カードスロット１７、操作ボタン１８等を本体１０に設けたものである。
【００２３】
本体１０は左右の部分１０ａ、１０ｂに分かれており、本体１０はこれら左右の部分１０ａ、１０ｂをヒンジ機構で連結して構成される。図１の１１はヒンジ軸を示す。本体１０の一方の部分１０ａには、筆記部１２、ペン１３、ＵＳＢポート１４が設けられる。反対側の部分１０ｂには、表示部１５、撮影部１６、カードスロット１７、操作ボタン１８が設けられる。
【００２４】
本体１０の左右の部分１０ａ、１０ｂはヒンジ軸１１を中心として相対回転可能であり、どちらかの部分をヒンジ軸１１を中心として回転させることで、本体１０を折り畳んで閉じることが可能である。図１は画像記録装置１の使用時に本体１０を開いた状態を示している。
【００２５】
筆記部１２は、顔料を使用しないスタイラスペンなどの筆記具を用いて手書きでメモ等の筆記を行うための筆記面を有し、且つ筆記面の筆記内容を消去して繰り返し使用することが可能である。
【００２６】
このような筆記部１２としては既知の様々なものが考えられるが、例えば、半球ごとに色の異なる微小球体を電界あるいは磁界によって反転させることで筆記を行うツイストボール方式による電子ペーパーや、コレステリック液晶を用いた感圧式の液晶ディスプレイを用いることにより、鮮明な筆記を行うことができる。また、ペン先の磁石によって磁性粉を表面に付着させる磁気ボードや、透光性を有するフィルムに筆圧を加えるとフィルム下の台紙の塗料とフィルムが密着するもの（一般的にマジックノートなどと呼ばれるようなもの）なども用いることができ、この場合では電力が不要になる。
【００２７】
これらの筆記部１２はいずれも筆記内容を消去して繰り返し筆記を行うことが可能であり、例えばツイストボール方式による筆記部１２の場合、裏側から電界あるいは磁界を加えると微小球体が再反転して筆記内容が消去できる。またフィルムと台紙の塗料を密着させるものの場合、フィルムを台紙から一旦剥がして台紙上に貼り直せば再度筆記を行うことが可能となる。
【００２８】
ペン１３は筆記部１２に筆記を行う筆記具であり、筆記部１２との組み合わせにより様々なものが使用される。例えばツイストボール方式による筆記部１２を用いる場合、ペン１３としてはペン先から磁界や電界を発生させるスタイラスペンが用いられる。ペン１３はペンホルダー（不図示）によって本体１０に保持することが可能である。
【００２９】
ＵＳＢポート１４は、ＵＳＢメモリなどの記憶媒体を接続したり、その他の外部機器をＵＳＢケーブルを介して接続したりするためのポートである。
【００３０】
表示部１５は、画像記録装置１の操作画面や記録したメモ等の画像を表示するものであり、例えば電子ペーパーやタッチパネル機能付きの液晶ディスプレイなどが用いられる。表示部１５は裏側にバックライトを有してもよいし、バックライトを持たず環境光を反射するものであってもよい。
【００３１】
撮影部１６は筆記部１２の撮影を行うためのカメラであり、例えばCMOS(Complementary
Metal Oxide Semiconductor)イメージセンサやCCD(Charge Coupled
Device)カメラが用いられる。本実施形態では、撮影部１６で筆記部１２の撮影を行うことにより、筆記部１２に手書きしたメモ等が画像として記録される。
【００３２】
カードスロット１７は、各種のカード型の記憶媒体を接続することが可能な差込口であり、本実施形態では複数のカードスロット１７が設けられる。これにより、記録する画像データの量に応じて記憶媒体を増設したり、メモの内容に応じて異なる記憶媒体に記録を行ったりすることが可能である。ただしカードスロット１７は一つとしてもよい。記録する画像データの量が大きくなる場合は、このカードスロット１７に比較的大容量の記憶媒体を接続する。
【００３３】
操作ボタン１８は、画像記録装置１に対して各種の操作入力を行うためのボタンである。
【００３４】
図２は画像記録装置１の制御に係るハードウェア構成を示す図である。画像記録装置１は、情報処理装置として、本体１０の内部に制御部２１や記憶部２２、センサ２３、バス２４なども有している。特に図示しないが、画像記録装置１の本体１０にはこの他通信ポートや電源なども設けられる。
【００３５】
制御部２１はCPU、ROM、RAMなどから構成される。CPUは、記憶部２２、ROMなどの記憶媒体に格納された画像記録装置１の後述する処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２２、ROMなどからロードしたプログラムやデータを一時的に保持するとともに、制御部２１が各種処理を行うために使用するワークエリアを備える。
【００３６】
記憶部２２はフラッシュメモリ等であり、制御部２１が実行するプログラム、プログラム実行に必要なデータ、OSなどが格納される。これらのプログラムやデータは、制御部２１により必要に応じて読み出され、RAMに移して実行される。
【００３７】
センサ２３は、本体１０の左右の部分１０ａ、１０ｂがなす角度を検知するものであり、例えば既知の角度センサなどを用いることができる。
【００３８】
バス２４は、画像記録装置１の各部位間の制御信号、データ信号等の授受を媒介する経路である。
【００３９】
（２．撮影部１６による筆記部１２の撮影）
本実施形態では、画像記録装置１の本体１０を折り畳み、左右の部分１０ａ、１０ｂが所定角度をなす時に、撮影部１６による筆記部１２の撮影を行うようになっている。
【００４０】
例えば図３に示すように、画像記録装置１の本体１０を開いた状態、すなわち本体１０の左右の部分１０ａ、１０ｂが略水平に配置された状態から、本体１０の左側の部分１０ｂ（撮影部１６が設けられた部分）を、ヒンジ軸１１を中心として矢印ａに示すように右側の部分１０ａ（筆記部１２が設けられた部分）に向けて回転させ、両部分１０ａ、１０ｂの表側同士を近づける。
【００４１】
画像記録装置１の制御部２１は、本体１０の左右の部分１０ａ、１０ｂがなす角度が所定角度（図３のθ参照。θは例えば９０°）となったことをセンサ２３からの信号により検知すると、撮影部１６を制御して筆記部１２の撮影を行う。図３の矢印ｂに示す撮影部１６の撮影方向（カメラの光軸）は、この時に好適に筆記部１２の撮影を行うことができるよう定められる。
【００４２】
撮影部１６による撮影画像は、画像記録装置１の記憶部２２や、カードスロット１７等に接続された記憶媒体に記憶される。画像記録装置１の記憶部２２には、撮影画像の歪みを補正し、筆記部１２を矩形状に表した画像とするためのプログラムなども格納されている。
【００４３】
（３．画像記録装置１によるメモ等の記録）
次に、図４等を参照して画像記録装置１によるメモ等の記録について説明する。図４は画像記録装置１によるメモ等の記録について示すフローチャートであり、図の各ステップは画像記録装置１の制御部２１が記録手段として実行する処理である。
【００４４】
ここで、ユーザはまず図５（ａ）に示すように画像記録装置１の本体１０を開き、ペン１３を用いて画像記録装置１の筆記部１２に筆記を行う。本実施形態ではオムライスの作り方についてのメモを記録する例を説明するものとし、図５（ａ）の例では、メモのタイトルとして「オムライスの作り方」と筆記している。
【００４５】
ユーザは、筆記部１２に筆記を行うと、図３で説明したように画像記録装置１の本体１０を折り畳む。画像記録装置１は、本体１０の左右の部分１０ａ、１０ｂが所定角度をなしたことをセンサ２３によって検知すると、撮影部１６によって筆記部１２を撮影する（Ｓ１１）。
【００４６】
画像記録装置１は、筆記部１２を撮影すると、図５（ｂ）に示すように表示部１５に選択画面を表示させ、撮影画像を表紙画像として記録するかページ画像として記録するかの選択を受付ける（Ｓ１２）。
【００４７】
図５（ｂ）の例では、選択画面として、表紙画像として記録するかページ画像として記録するかの選択領域が表示されており、ユーザは操作ボタン１８やタッチパネル等の操作により選択を行う。表紙画像として記録することが選択された場合（Ｓ１３；「表紙画像」）、画像記録装置１は、「オムライスの作り方」と筆記された筆記部１２の撮影画像を表紙画像として記録する（Ｓ１４）。
【００４８】
ユーザは、記録を終了せずにメモを続ける場合（Ｓ１５；ＮＯ）、筆記部１２の筆記内容を消去した後、続けて図６（ａ）に示すようにメモとしてオムライスの作り方の手順を筆記部１２にペン１３で筆記する。図６（ａ）の例では、オムライスの作り方の手順として「手順１  とり肉をひとくち大に切り、塩コショウをまぶす」と筆記している。
【００４９】
ユーザは筆記を行った後、先程と同様に画像記録装置１の本体１０を折り畳む。画像記録装置１は、本体１０の左右の部分１０ａ、１０ｂが所定角度をなした時点で、撮影部１６によって筆記部１２を撮影する（Ｓ１１）。
【００５０】
画像記録装置１は、筆記部１２を撮影すると、図５（ｂ）の選択画面を表示部１５に表示させ、撮影画像を表紙画像として記録するかページ画像として記録するかの選択を受付ける（Ｓ１２）。ここでは、撮影画像をページ画像として記録することが選択される（Ｓ１３；「ページ画像」）。
【００５１】
この場合、画像記録装置１は選択画面として１又は複数の表紙画像を表示部１５に表示させ、ページ画像を紐づける対象となる表紙画像の選択を受付ける（Ｓ１６）。
【００５２】
図６（ｂ）は表紙画像３０の選択画面の例であり、これまでに表紙画像３０として記録された撮影画像が表示され、この中からユーザによって所望の表紙画像３０が選択される。ここでは、「オムライスの作り方」と表示された先程の表紙画像３０が選択される。
【００５３】
すると、画像記録装置１は、「手順１  とり肉をひとくち大に切り、塩コショウをまぶす」と筆記された筆記部１２の撮影画像（別の撮影画像）を、上記選択された表紙画像３０に紐づくページ画像として記録する（Ｓ１７）。
【００５４】
ユーザは、記録を終了せずにメモを続ける場合（Ｓ１５；ＮＯ）、上記と同様の流れでオムライスの作り方の手順を筆記してページ画像として記録してゆき、画像記録装置１の操作ボタン１８等により記録の終了を選択すると（Ｓ１５；ＹＥＳ）、画像記録装置１による記録処理が終了する。
【００５５】
図７はこうして記録されたメモの例であり、「オムライスの作り方」の表紙画像３０に紐づけて、「手順１  とり肉をひとくち大に切り、塩コショウをまぶす」「手順２  たまねぎを小さく切る」「手順３  フライパンにバター大さじ１を溶かし、とり肉、たまねぎをいためる」…のページ画像４０が記録される。
【００５６】
なお、この例では、表紙画像３０のファイル名が、２０１６年２月３日に１枚目に作成した表紙画像３０であることを示す「２０１６０２０３−１．ｊｐｇ」となっており、これに紐づくページ画像４０のファイル名が、表紙画像３０のファイル名に対応して「２０１６０２０３−１−１．ｊｐｇ」「２０１６０２０３−１−２．ｊｐｇ」「２０１６０２０３−１−３．ｊｐｇ」…となっている。末尾の数字は表紙画像３０に紐づけて何枚目に記録された画像であるかを示している。
【００５７】
（４．画像記録装置１によるメモ等の表示）
次に、図８等を参照して画像記録装置１によるメモ等の表示について説明する。図８は画像記録装置１によるメモ等の表示について示すフローチャートであり、図の各ステップは画像記録装置１の制御部２１が表示手段として実行する処理である。
【００５８】
ここで、ユーザはまず操作ボタン１８やタッチパネル等の操作により、画像記録装置１に記録した画像を表示部１５に表示することを選択する。画像記録装置１は選択を受付けると、まず表示部１５に表紙画像３０を表示させる（Ｓ２１）。
【００５９】
図９（ａ）は表紙画像３０の表示の例であり、この例ではこれまでに記録された１又は複数の表紙画像３０の一覧が縮小画像にて表示部１５に表示される。
【００６０】
ユーザは、各表紙画像３０の内容を見て、操作ボタン１８やタッチパネル等の操作により所望の表紙画像３０を選択する。画像記録装置１は表紙画像３０の選択を受付けると（Ｓ２２）、選択された表紙画像３０に紐づくページ画像４０を取得し、選択された表紙画像３０、および選択された表紙画像３０に紐づくページ画像４０を表示部１５に表示させる（Ｓ２３）。
【００６１】
図９（ｂ）はこの際の表示の例である。この例では、選択された表紙画像３０と、選択された表紙画像３０に紐づくページ画像４０の一覧が縮小画像にて表示される。
【００６２】
ユーザが操作ボタン１８やタッチパネル等の操作により所望のページ画像４０を選択すると、画像記録装置１はページ画像４０の選択を受付け（Ｓ２４）、図９（ｃ）に示すように、選択されたページ画像４０を表示部１５に表示させる（Ｓ２５）。
【００６３】
しかしながら、表示方法はこれに限らない。例えば前記のＳ２２で表紙画像３０の選択を受付けた場合に、図１０（ａ）に示すように選択された表紙画像３０を表示部１５に表示させ、以降、ページをめくるようにページ画像４０を表示させることもできる。
【００６４】
すなわち、操作ボタン１８やタッチパネル等の操作により、表紙画像３０に続けて、表紙画像３０に紐づくページ画像４０として１枚目に記録されたページ画像４０を図１０（ｂ）に示すように表示させる。その後再び同様の操作を行うと、図１０（ｃ）に示すように２枚目に記録されたページ画像４０が表示される。以下同様の操作を行うごとに３枚目以降のページ画像４０を順に表示させることができる。
【００６５】
このように、本実施形態の画像記録装置１では、筆記したメモ等を撮影した撮影画像を、表紙画像３０、あるいは表紙画像３０に紐づくページ画像４０として記録する。表示の際にはまず表紙画像３０を表示し、選択された表紙画像３０に対応するページ画像４０を次に表示させる。これにより、メモ等をあたかも本のように記録、表示することができ、所望のページ画像４０を対応する表紙画像３０を頼りに迅速に検索して表示させることができ、ファイル名などのデータ加工の手間もない。また筆記したメモ等を撮影部１６によって撮影し記録することにより、装置を安価に構成可能である。
【００６６】
また本実施形態の画像記録装置１は、筆記部１２を併設することで、メモ等の筆記と記録、表示を行う一体の装置として構成することができる。筆記部１２は一般的な紙等とは異なり、顔料を使用しないスタイラスペンなどの筆記具にて筆記面に筆記を行い、筆記内容を消去可能なものとする。これにより、記録後の紙等が嵩張ったり、紙等に費用が掛かったりすることなく、繰り返し筆記を行うことができる。
【００６７】
また本実施形態では、画像記録装置１の本体１０を折り畳み、撮影部１６を設けた部分１０ｂと筆記部１２を設けた部分１０ａが所定角度となった時点で撮影部１６による筆記部１２の撮影を行うことで、筆記部１２を好適に撮影することができ、歪みの少ない撮影画像とできる。また撮影画像の補正も容易に行うことができる。
【００６８】
また画像記録装置１の制御部２１は、撮影部１６により撮影した撮影画像を表紙画像３０として記録するかページ画像４０として記録するかの選択を受付け、ページ画像４０として記録する際には表紙画像３０を表示部１５に表示させてどの表紙画像３０に紐づけるかの選択を受付けることにより、撮影画像を表紙画像３０あるいは表紙画像３０に紐づくページ画像４０として好適に記録することができる。
【００６９】
しかしながら、本発明はこれに限らない。例えば画像記録装置１の構成は図１等の例に限らず、ＵＳＢポート１４やカードスロット１７を省略することなども可能である。また、図１１（ａ）の画像記録装置１’に示すように、本体１０を折り畳んで両部分１０ａ、１０ｂの裏側同士を重ねることができるようにし、この状態で筆記部１２に筆記を行うことで、ユーザの利き手が左右どちらであっても筆記しやすくなる。
【００７０】
また筆記部１２は前記したものに限らず、インクなどの顔料を用いて筆記を行うもの、例えば紙などであってもよい。この場合は油性マジックやボールペン、鉛筆などの通常の筆記具を用いることができ、筆記部１２の撮影を終えれば、消しゴム等で筆記内容を消去したり、紙を剥がしてその下の紙を新たに筆記に用いたりすることができる。
【００７１】
その他、筆記部１２は鋼板等に樹脂による塗装を施したホワイトボードとし、水性のインクによるペン１３で筆記可能としてもよい。この場合は繊維による従来のクリーナーで筆記内容を消去して新たに筆記を行うことができ、ホワイトボードを繰り返し使用することも容易である。
【００７２】
また、本実施形態では画像記録装置１の本体１０を折り畳んだ時に撮影部１６により筆記部１２を撮影するようにしているが、例えば操作ボタン１８やタッチパネル等の操作により筆記部１２の撮影を行うようにしてもよい。この場合、図１１（ｂ）の画像記録装置１”に示すように、本体１０の筆記部１２が設けられた部分１０ａに撮影部１６’を取付け、これにより筆記部１２の撮影を行うことも可能である。
【００７３】
また、本実施形態では撮影画像をページ画像４０として記録する際に、前記のＳ１６でページ画像４０を紐づける表紙画像３０を選択しているが、これに限らない。例えば直前に記録された表紙画像３０に自動的に紐づくようにしてもよいし、２枚目以降のページ画像４０であれば、１枚目のページ画像４０の記録時に選択された表紙画像３０と自動的に紐づくようにしてもよい。また表紙画像３０を選択した後でメモ等の筆記、撮影等を行い、撮影画像を当該表紙画像３０に紐づくページ画像４０として自動的に記録することも可能である。これらの場合、Ｓ１６における表紙画像３０の選択が不要になる。
【００７４】
その他、本実施形態では、撮影画像の所定部分を既知のＯＣＲ(Optical
Character Recognition)処理等によりテキストデータ化し、取得したデータをページ画像の紐づけに利用することもできる。
【００７５】
具体的な手順としては、例えば、まず前記のＳ１４で表紙画像３０を記録する際に、表紙画像３０の筆記内容をテキストデータ化し、表紙画像３０と紐づけて記録しておく。
【００７６】
その後、ユーザはメモ等を筆記してページ画像４０として記録する際に、図１２（ａ）に示すように、筆記部１２の所定領域１２１に、ページ画像４０に紐づける予定の表紙画像３０の筆記内容（図の例では「オムライスの作り方」）を筆記する。
【００７７】
そして、Ｓ１３において筆記部１２の撮影画像をページ画像４０として記録することが選択された場合、画像記録装置１の制御部２１は、上記の所定領域１２１に対応する撮影画像の所定部分をテキストデータ化する。そして、取得したテキストデータ（「オムライスの作り方」）に対応する表紙画像３０を抽出し、撮影画像をこの表紙画像３０に紐づくページ画像４０として記録する。
【００７８】
一方、撮影画像の所定部分をテキストデータ化して取得したデータは、所望の画像を表示する際の検索に用いることもできる。
【００７９】
例えば上記の所定領域１２１に図１２（ｂ）に示すように日時などの検索項目を筆記し、撮影画像の記録時に上記と同様にテキストデータ化して表紙画像３０あるいはページ画像４０と紐づけて記録する。メモ等の表示を行う際は、前記のＳ２１やＳ２３などにおいて、操作ボタン１８やタッチパネル等の操作により日時などの検索項目の入力を行う。これにより、Ｓ２１やＳ２３において、入力された検索項目に対応する表紙画像３０やページ画像４０を表示させることができる。
【００８０】
例えば、Ｓ２１において検索項目として日時を入力し、入力された日時に記録された表紙画像３０のみを時間順に表示したり、Ｓ２３において同様に日時を入力し、入力された日時に記録されたページ画像４０のみを時間順に表示させたりすることができる。日時はある程度の幅を持った時間帯として入力してもよい。また筆記部１２の所定領域１２１で日時を常時表示するようにしておけば、撮影画像に映り込んだ日時をテキストデータ化することで、所定領域１２１に日時の筆記を行わなくてもこれらの処理が可能になる。
【００８１】
また以上の例では、撮影画像の所定部分として、筆記部１２の所定領域１２１に対応する部分をテキストデータ化する例を説明したが、この他、例えば筆記部１２において所定の色で筆記された部分をテキストデータ化することも可能である。
【００８２】
以下、本発明の別の例について第２〜第５の実施形態として説明する。各実施形態はそれまでに説明した実施形態と異なる点について説明し、同様の点については図等で同じ符号を付すなどして説明を省略する。また第１の実施形態を含め、各実施形態で説明した構成は必要に応じて組み合わせて用いることができる。
【００８３】
［第２の実施形態］
図１３（ａ）は本発明の第２の実施形態に係る画像記録装置１ａを示す図である。第２の実施形態の画像記録装置１ａは、画像記録装置１ａの本体１０の筆記部１２を設けた部分１０ａと表示部１５を設けた部分１０ｂを、互いの配置を入れ替えて組み合わせることができるようにした点で第１の実施形態と異なっている。
【００８４】
すなわち、図１３（ａ）は、右利きのユーザが右側で筆記を行うように筆記部１２を設けた部分１０ａを右側とし、表示部１５を設けた部分１０ｂを左側として両部分１０ａ、１０ｂを組み合わせた例である。
【００８５】
本体１０の両部分１０ａ、１０ｂでは、左右両側にそれぞれ嵌合部１０１と嵌合受部１０２が設けられており、図１３（ａ）に示すように一方の部分１０ａの嵌合部１０１を他方の部分１０ｂの嵌合受部１０２に嵌合するとヒンジ機構が形成され、両部分１０ａ、１０ｂがヒンジ軸１１ａを中心として回転し折り畳み可能となっている。
【００８６】
一方、図１３（ｂ）は、左利きのユーザが左側で筆記を行うように筆記部１２を設けた部分１０ａを左側とし、表示部１５を設けた部分１０ｂを右側として両部分１０ａ、１０ｂを組み合わせた例である。この場合も、一方の部分１０ｂの嵌合部１０１を他方の部分１０ａの嵌合受部１０２に嵌合してヒンジ機構を形成する。
【００８７】
本実施形態でも、筆記部１２に筆記したメモ等の記録と表示を第１の実施形態と同様に行うことができ、第１の実施形態と同様の効果が得られる。またユーザの利き手が左右どちらであっても不自由なく使用することができる。
【００８８】
なお、撮影部１６は表示部１５の左右両側に設けられており、本体１０を折り畳んだ時の筆記部１２の撮影は、筆記部１２から遠い方の撮影部１６によって行うようになっている。すなわち、図１３（ａ）の例では表示部１５の左側の撮影部１６による撮影を行い、図１３（ｂ）の例では表示部１５の右側の撮影部１６による撮影を行う。このような撮影部１６の制御も、画像記録装置１ａの制御部２１により行われる。画像処理装置１ａのその他の部分の配置は、使用性等を考慮して適宜定められる。
【００８９】
［第３の実施形態］
図１４（ａ）は本発明の第３の実施形態に係る画像記録装置１ｂを示す図である。第３の実施形態の画像記録装置１ｂは、筆記部１２ａと表示部１５ａを、本体１０から取外し、互いの配置を入れ替えて本体１０に取付けられるようにした点で第１の実施形態と異なっている。
【００９０】
すなわち、図１４（ａ）は右利きのユーザが右側で筆記を行うように筆記部１２ａを本体１０の右側の部分１０ａに取付け、表示部１５ａを左側の部分１０ｂに取付けた例である。一方、左利きのユーザが左側で筆記を行う場合は、筆記部１２ａ、表示部１５ａを本体１０の各部分１０ａ、１０ｂから取外し、図１４（ｂ）に示すように筆記部１２ａを本体１０の左側の部分１０ｂに取付け、表示部１５ａを右側の部分１０ａに取付ける。
【００９１】
この第３の実施形態でも先程の第２の実施形態と同様の効果が得られる。なお、この例ではペンホルダー（不図示）を本体１０の左右の部分１０ａ、１０ｂに設け、筆記部１２ａに合わせてペン１３を本体１０の左右どちらの部分１０ａ、１０ｂにも設置できるようにしている。また操作ボタン１８は省略し表示部１５ａに備えたタッチパネルで操作入力を行う。しかしながら、これに限ることはない。
【００９２】
また、この例では撮影部１６が本体１０の左右の部分１０ａ、１０ｂに設けられており、本体１０の折り畳み時の筆記部１２ａの撮影は、表示部１５ａを設けた部分に配置された撮影部１６によって行うようになっている。すなわち図１４（ａ）の例では表示部１５ａを設けた左側の部分１０ｂに配置された撮影部１６による撮影を行い、図１４（ｂ）の例では表示部１５ａを設けた右側の部分１０ａに配置された撮影部１６による撮影を行う。このような撮影部１６の制御も、前記と同様画像記録装置１ｂの制御部２１により行われる。画像処理装置１ｂのその他の部分の配置は、使用性等を考慮して適宜定められる。
【００９３】
［第４の実施形態］
第４の実施形態は、図１等で説明した画像記録装置１を平面において９０°あるいは１８０°回転させた場合でも利用可能とした例である。
【００９４】
すなわち、図１５（ａ）に示すように画像記録装置１を図１の配置から平面において９０°回転させ、縦横を入れ替えた場合でも画像記録装置１を使用できるようにする。これにより、ユーザは使用しやすい配置で画像記録装置１を使用できるようになり、また図１５（ａ）のような配置の場合、ユーザの利き手が左右どちらであっても不自由なく使用することができる。
【００９５】
この際、画像記録装置１が平面において回転しても表示部１５での表示が天地正しく行われるように、表示を行う際の天地を設定可能としておく。例えば操作ボタン１８やタッチパネル等の操作によって表示部１５の天地を設定できるようにしておく。あるいは、画像記録装置１に三軸加速度センサ（不図示）などを設けておき、本体１０の表示部１５を設けた部分１０ｂを傾けると、傾斜時の上側を天とし、下側が地となるような表示を行うよう制御部２１が制御してもよい。撮影画像の天地も表示部１５の天地に合わせて設定できる。
【００９６】
また図１５（ａ）のような配置の場合、図１のように両部分１０ａ、１０ｂが水平に開いた状態でなく、表示部１５を設けた部分１０ｂが傾斜した状態で使用できるようにしておくことも好ましい。そのため、両部分１０ａ、１０ｂの間のヒンジ機構は上記の部分１０ｂが傾斜した状態で静止できるように構成する。また、最初から図１５（ａ）のような配置で使用するよう画像記録装置１を設計することも可能である。
【００９７】
一方、図１５（ｂ）は画像記録装置１を図１の配置から平面において１８０°回転させた例であり、右利きのユーザが右側で筆記を行う場合は図１に示すように筆記部１２が右側にくるような配置で画像記録装置１を使用するが、左利きのユーザが左側で筆記を行う場合は図１５（ｂ）のように筆記部１２が左側にくるような配置で画像記録装置１を使用する。表示部１５等の天地の設定も、上記と同様に行うことが可能である。この場合、ユーザの利き手が左右どちらであっても画像記録装置１を不自由なく使用できる。
【００９８】
なお、ペン１３や操作ボタン１８の配置は図１や図１５の例に限らず、画像記録装置１を回転させた場合でも使用しやすいような配置とすることができ、例えば本体１０の側面に配置することも可能である。また表示部１５等の天地の設定は適宜行うことが可能であり、例えば画像記録装置１の初期画面上で操作ボタン１８やタッチパネル等の操作により設定を行うことも可能である。また、初期画面等で、センサ（不図示）によって画像記録装置１の平面における回転等の動きを検知した場合に設定画面を表示して表示部１５等の天地を再設定可能としたり、初期画面等で設定された天地を画像記録装置１の動きに関わらず維持するように設定したりすることもできる。
【００９９】
［第５の実施形態］
第５の実施形態は、スマートフォン、タブレット端末などのカメラ付携帯端末（情報処理装置）を画像記録装置１ｃとして用いる例である。
【０１００】
すなわち、本実施形態では、画像記録装置１ｃが筆記部を持たないが、図１６（ａ）に示すように画像記録装置１ｃが備える撮影部５６によってメモ等の筆記内容を撮影し、メモ等の記録と表示を第１の実施形態と同様に行う。
【０１０１】
図１６（ｂ）は、画像記録装置１ｃの制御に係るハードウェア構成を示す図である。なお、図１６（ｂ）のハードウェア構成は一例であり、用途、目的に応じて様々な構成をとることが可能である。
【０１０２】
図に示すように、画像記録装置１ｃは、制御部５１、記憶部５２、入力部５３、表示部５４、通信制御部５５、撮影部５６等をバス５７を介して接続して構成される。
【０１０３】
制御部５１、記憶部５２、撮影部５６、バス５７は、前記した制御部２１、記憶部２２、撮影部１６、バス２４と略同様である。
【０１０４】
入力部５３は、データの入力を行い、例えば表示部５４に設けられたタッチパネルにより実現される。入力部５３を介して画像記録装置１ｃに対し操作入力を行うことができる。
表示部５４は、液晶ディスプレイ等の表示装置を有する。
通信制御部５５は、通信制御装置、通信ポート等を有し、ネットワークを介した通信制御を行う。
【０１０５】
本実施形態では、撮影部５６によってメモ等の筆記内容を撮影した後、前記のＳ１２〜Ｓ１５、およびＳ２１〜Ｓ２５の処理が実行される。そのためのプログラムは記憶部５２等に記憶され、当該プログラムを制御部５１により実行することで第１の実施形態と同様に処理を行うことができ、第１の実施形態と同様の効果が得られる。
【０１０６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１０７】
１、１’、１”、１ａ、１ｂ、１ｃ；画像記録装置
１０；本体
１０ａ、１０ｂ；部分
１１、１１ａ；ヒンジ軸
１２、１２ａ；筆記部
１２１；所定領域
１３；ペン
１４；ＵＳＢポート
１５、１５ａ、５４；表示部
１６、１６’、５６；撮影部
１７；カードスロット
１８；操作ボタン
２１、５１；制御部
２２、５２；記憶部
２３；センサ
３０；表紙画像
４０；ページ画像
５３；入力部
５５；通信制御部
１０１；嵌合部
１０２；嵌合受部
【図１】
2017146780.tif 000003
【図２】
2017146780.tif 000004
【図３】
2017146780.tif 000005
【図４】
2017146780.tif 000006
【図５】
2017146780.tif 000007
【図６】
2017146780.tif 000008
【図７】
2017146780.tif 000009
【図８】
2017146780.tif 000010
【図９】
2017146780.tif 000011
【図１０】
2017146780.tif 000012
【図１１】
2017146780.tif 000013
【図１２】
2017146780.tif 000014
【図１３】
2017146780.tif 000015
【図１４】
2017146780.tif 000016
【図１５】
2017146780.tif 000017
【図１６】
2017146780.tif 000018